(57)【要約】  実施例に従って、電気ケーブルは、基板によって支持される接点パッドに電気的に接続するように構成することができる。電気ケーブルは、電気信号導体の１対のような少なくとも１つ、および、少なくとも１つの、例えば１対の電気伝導性のドレイン線を有することができる。電気ケーブル中のドレイン線は、基板に面するように構成される第１表面、および第１の表面と対向する第２表面を画定することができる。ドレイン線は、直線に沿って第１表面から第２表面まで測定されるように、０.２ｍｍ超の高さを画定することができる。
2016503948.tif 000002
【特許請求の範囲】
【請求項１】
基板によって支持される接点パッドに電気的に接続するように構成された電気ケーブルであって、基板に面するように構成される第１表面とこの第１表面に対向する第２表面とを画定する少なくとも１本の電気伝導性の信号導体であって、この少なくとも１本の信号導体は、直線に沿って第１表面から第２表面まで測定されるように、少なくとも０.２５ミリメートル（ｍｍ）および１.０ｍｍ未満の第１高さを画定するものと；
少なくとも１本の電気信号導体に隣接して配置される少なくとも１本の電気伝導性のドレイン線であって、少なくとも１本のドレイン線は、少なくとも一部分は、基板に面するように構成される第１表面とこの第１表面に対向する第２表面とを画定し、少なくとも１本のドレイン線が、直線に沿ってそれぞれの第１表面からそれぞれの第２表面まで測定されるように０.２ｍｍを超え、かつおよび１.５ｍｍ未満の第２高さを画定するものと、を有する電気ケーブル。
【請求項２】
少なくとも１本のドレイン線の長さの少なくとも一部分に沿う少なくとも１本のドレイン線をほぼ取囲む第１電気絶縁体と；
信号導体の長さの少なくとも一部分に沿う少なくとも１本の信号導体をほぼ取囲む第２電気絶縁体であって、信号導体およびドレイン線は、第１方向に沿って相互に隣接し、ドレイン線および信号導体のそれぞれは、第１方向にほぼ垂直である第２方向に沿って、それぞれに、第１および第２の絶縁体から延びるそれぞれのマウント部を画定し、さらに、第１および第２高さは、第１および第２の方向にほぼ垂直である第３の方向に沿うそれぞれのマウント部で測定されるもの、とをさらに有する請求項１記載の電気ケーブル。
【請求項３】
第１および第２絶縁体は、第１方向に沿って相互から一定間隔で配置される請求項２記載の電気ケーブル。
【請求項４】
第２の絶縁体は、第１絶縁体内に配置される請求項２記載の電気ケーブル。
【請求項５】
第１および第２絶縁体は、同一の絶縁体である請求項２記載の電気ケーブル。
【請求項６】
少なくとも１本のドレイン線は、長さをそれぞれ画定する第１および第２のドレイン線を有し、さらに、それぞれの第１絶縁体によってそのそれぞれの長さの少なくとも一部分に沿ってそれぞれほぼ取囲まれる請求項１記載の電気ケーブル。
【請求項７】
少なくとも１本の電気信号導体は、それぞれの第２絶縁体によってそのそれぞれの長さの少なくとも一部分に沿って取囲まれる第１および第２電気信号導体を有する請求項１記載の電気ケーブル。
【請求項８】
第１および第２高さは、それぞれに、信号導体およびドレイン線のマウント部で画定される請求項２記載の電気ケーブル。
【請求項９】
少なくとも１本のドレイン線のマウント部は、さらに、第１方向に沿う幅で、その幅は、第２高さとほぼ等しいものを画定する請求項２記載の電気ケーブル。
【請求項１０】
少なくとも１本のドレイン線のマウント部は、さらに、第２高さが筒状体の直径を画定するように第２方向に延びる筒状体を画定する請求項２記載の電気ケーブル。
【請求項１１】
少なくとも１本のドレイン線のマウント部は、第１の方向に沿う幅であって、その幅は、マウント部が、第１および第３方向によって画定される平面におけるほぼ楕円の横断面を画定するように、第２高さ未満の幅を画定する請求項２記載の電気ケーブル。
【請求項１２】
基板に電気的に接続するように構成される電気ケーブルであって、  
電気絶縁体と；
それぞれの部分がそれぞれこの絶縁体内に配置される第１電気信号導体および第２電気信号導体と；
第１および第２電気信号導体が、第１方向に沿って第１および第２ドレイン線の間に配置されるように絶縁体内に配置され、かつ第１方向に沿って相互から離れて一定間隔で配置されるそれぞれの部分を有する第１および第２ドレイン線と；
第１および第２方向にほぼ垂直である第３方向に沿って相互から一定間隔で配置される第１および第２の対向する表面を有する外部周囲を画定するそれぞれの第１および第２ドレイン線と；
第１および第２ドレイン線の少なくとも選択した１本の外部周囲に取付けられる外部周囲を画定する電気伝導性の補助線と；
とを有する電気ケーブル。
【請求項１３】
第１および第２のドレイン線の選択した１本は、第２方向に沿って絶縁体から外に延びるマウント部を画定し、かつ、補助線は、第１および第２ドレイン線の選択した１本のマウント部の外部周囲に取付けられる請求項１２記載の電気ケーブル。
【請求項１４】
マウント部は、基板に面するように構成される第１表面、および第１表面に対向する第２表面を画定し、さらに、補助線は、第１および第２ドレイン線の選択した１本の第２の表面に取付けられる請求項１３記載の電気ケーブル。
【請求項１５】
１) 補助線は、第１および第２ドレイン線の選択した一方の第２表面に取付けられる第１表面、および、この第１表面に対向するとともに第１表面から補助距離だけ一定間隔で配置される第２の表面を画定し、かつ、２）マウント部の第１および第２表面が相互からドレイン距離だけ一定間隔で配置される請求項１４記載の電気ケーブル。
【請求項１６】
ドレイン距離は、補助距離とほぼ等しい請求項１５記載の電気ケーブル。
【請求項１７】
第１および第２電気信号導体のそれぞれは、絶縁体から延びるマウント部を画定し、かつ基板に面するように構成される第１信号端およびこの第１端信号端に対向する第２信号端を画定し、第１および第２信号導体のそれぞれは、第１信号端から第２号端まで延びる信号高さを画定し、第１および第２ドレイン線の選択した１本は、第１および第２ドレイン線の選択した１本の第１表面から補助線の第２表面まで延びる第２高さを画定し、さらには、第２高さは、少なくとも信号高さと等しい請求項１５記載の電気ケーブル。
【請求項１８】
第２高さは、信号高さより大きい請求項１７記載の電気ケーブル。
【請求項１９】
第１および第２ドレイン線の選択した一方の他方の外部周囲に取付けられる第２補助線をさらに有する請求項１２記載の電気ケーブル。
【請求項２０】
電気絶縁体と：
複数の信号接点パッドおよびこの信号接点パッドの間に配置される接地接点パッドを支持する基板と；
絶縁体内に配置される部分を有する少なくとも１本の電気信号導体であって、少なくとも電気信号導体上にはそれぞれの信号接点パッドにマウントしたものと；
絶縁体内に配置される部分を有し、かつ、第１方向に垂直である第２方向に沿って絶縁体から外に延びるマウント部を画定する少なくとも１本のドレイン線であって、第１方向に沿って信号導体から一定間隔で配置された少なくとも１本のドレイン線であって、マウント部は、第１および第２方向に垂直である第３方向に沿って相互から一定間隔で配置される第１および第２の対向する表面を有する周囲を画定するものと；
ドレイン線の第２表面に取付けられる第１補助表面、および、第３方向に沿う第１補助表面と対向する第２補助表面を画定する外部周囲を有する補助伝導性線と；
を有する電気ケーブル組立体。
【請求項２１】
ドレイン線の第１表面は、基板に面する請求項２０記載の電気ケーブル組立体。
【請求項２２】
補助伝導性線は、基板に取付けられる請求項２０記載の電気ケーブル組立体。
【発明の詳細な説明】
【技術分野】
【０００１】
この発明は、電気ケーブル組立体に関する。
【背景技術】
【０００２】
[0001] 電気ケーブル組立体は、１本の電気部品を他の電気部品に電気的に接続するために使用することができる。例えば、図１Ａにおいて例証されるように、電気ケーブル組立体１０は、プリント回路板１４のような基板１２を有することができ、基板１２のそれぞれの導体線電気導通トレ−スと電気伝達するように配置されるために、基板１２にマウントされるように構成される複数の電気ケーブル１８を有する１組の電気ケーブル１６を有する。基板１２は、１対の対向する表面、例えば、上部の表面２０ａ、および、横断方向Ｔに沿う上部表面２０ａから一定間隔で配置される対向する低部表面２０ｂを画定する基板本体２０を有する。基板本体２０は、さらに、補完的な電気部品と結合するように構成される後方端部２０ｃ、および、横断方向Ｔにほぼ垂直である長手方向Ｌに沿う後方端部２０ｃから間隔を置かれる対向する前方端部２０ｄを画定することができる。基板本体２０は、さらに、それぞれ、横断および長手方向ＴおよびＬの両方にほぼ垂直である横方向Ａに沿って相互から一定間隔で配置される対向する側部２０ｅを画定することができる。
【０００３】
[0002] なお図１Ａを参照して、上部および低部表面２０ａおよび２０ｂの少なくとも一方または両方は、それぞれ、電気接点パッド２２の複数のそれぞれを支持することができる。接点パッド２２は、電気ケーブル１８のそれぞれのものに電気的に接続するように構成することができる。接点パッド２２は、基板本体２０によって支持されるか、その中に位置される１本またはそれ以上の電気トレースと電気伝達することができ、さらに、したがって基板１２の補完的な接点パッドと電気伝達することができる。したがって、接点パッド２２にマウントされたケーブル１８は、補完的な接点パッドと電気伝達するように置くことができ、さらには、したがって補完的な接点パッドと結合する補完的な電気部品と電気伝達するように置くことができる。特に、ケーブル１８の近接端部２４は、接点パッド２２のそれぞれのものにマウントされるマウント端部を画定することができる。
【０００４】
[0003] 例証された例によれば、接点パッド２２は、基板１２のより低部表面２０ｂによって支持される。それぞれの接点パッド２２は、横方向Ａに沿って相互から一定間隔で配置することができ、さらに、前方端部２０ｄに近接して配置することができる。接点パッド２２は、複数の信号接点パッド２２ａおよび複数の接地接点パッド２２ｂを有することができる。信号接点パッド２２ａおよび接地接点パッド２２ｂは、横列（row）Ｒ１に配置することができる。横列R１内において、信号接点パッド２２ａおよび接地接点パッド２２ｂは、繰返す、信号−信号−接地パタ−ン、接地−信号−信号パタ−ン、または信号−接地−信号パターンであることができる。信号接点パッド２２ａおよび接地接点パッド２２ｂは、また、繰返す、信号−信号−接地−接地パタ−ン、接地−信号−信号−接地パタ−ン（図１Ａ）、または信号−接地−信号−接地パタ−ンに配置することができる。
【０００５】
[0004]引続いて 図１Ａを参照して、基板１２は、接地要素２６のような少なくとも１本の共通接地要素を有することができる。例証されるように、共通接地要素２６は、基板本体２０の低部表面２０ｂ上に支持される電気層であることができる。接地要素２６は、接点パッド２２から電気的に分離することができる。例証された例によれば、接地要素２６は、接点パッド２２よりも長手方向Ｌに沿って前方端部２０ｄに接近する位置に配置することができる。接地接点パッド２２ｂは、基板本体２０の表面２０ｂ上に支持された１本またはそれ以上の電気トレース、または表面２０ａと２０ｂとの間の基板本体２０に位置される層によって接地部材２６に伝達することができる。
【０００６】
[0005] 図１Ａ−Ｃを参照して、ケーブル１８は、１対の信号搬送導体２８ａのような少なくとも１本の導体２８、およびそれぞれの信号搬送導体２８ａの少なくとも一部を取り囲む電気的に絶縁性の信号層３０を有することができる。それぞれのケーブル１８は、さらに、信号搬送導体２８ａのそれぞれの絶縁された層３０を取り囲む電気的に伝導性の接地ジャケット３２を有することができる。接地ジャケット３２は、ケーブル１８がマウントされる補完的な電気部品のそれぞれの接地平面に電気的に接続されるように構成することができる。例えば、それぞれのケーブル１８の接地ジャケット３２は、基板１２の接地要素２６との接触に置かれるように構成することができ、それは、それぞれのケーブル１８の接地ジャケット３２が接地要素２６経由基板１２の接地平面に接続されるようなものである。この点については、接地ジャケット３２は、補完的な電気部品のそれぞれの接地平面に対して接地に対する電気パス、または、それぞれのケーブル１８の接地ジャケット３２からの接地パスを提供することができる。それぞれのケーブル１８は、さらに、電気的に絶縁性であり、かつ、それぞれの接地ジャケット３２を取り囲む外部の層３４を有することができる。例えば、絶縁層３０は、絶縁層３４内に配置することができる。絶縁層３０および３４は、横方向Ａに沿って相互から離れて一定間隔で配置することができる。絶縁層３０および３４は、プラスチックのような任意の適切な誘電体から構成することができる。導体２８は、銅のような任意の適切な電気伝導性の材料から構成することができる。
【０００７】
[0006] ケーブル１８は、さらに、信号導体２８ａに加えて、ドレイン線２８ｂのような少なくとも１本の接地導体を有することができる。ドレイン線２８ｂは、接地ジャケット３０と結合して、または単独で使用することができる。ドレイン線２８ｂは、外部の層３４によって取り囲むことができる。接地ジャケットが存在するときは、ドレイン線２８ｂは、また、接地ジャケット３２によって取り囲むことができる。
【０００８】
[0007] ケーブル１８は、接点パッド２２に対して、例えばそれらのそれぞれの近接端部２４で、マウントするように構成することができる。したがって、ケーブル１８は、それぞれの補完的な接点パッド２２と電気伝達することができる。それぞれのケーブル１８は、様々な方法で基板１２にマウントすることができる。例えば、絶縁層３０および３４、ならびに各ケーブル１８の接地ジャケット３２の一部は、導体２８を露出するように近接端部２４でそれぞれの導体２８から取り除くことができる。代りに、ケーブル１８は、その導体２８が、絶縁層３０および３４、ならびに接地ジャケット３２から長手方向に導体２８を露出するように延在するように製造することができる。露出した導体２８は、例えば、接点パッド２２に導体２８を接合することにより、近接端部２４でそれぞれの接点パッド２２にマウントすることができる。例えば、信号搬送導体２８ａは、マウント部３６ａが、長手方向Ｌに沿って絶縁層から延びて、さらに近接端部２４で終端するように露出される信号マウント部を画定することができる。信号マウント部３６ａは、信号接点パッド２２ａにマウントすることができる。同様に、ドレイン線２８ｂは、マウント部３６ｂが、長手方向Ｌに沿って絶縁層から延びて、さらにそれぞれの近接端部２４で終端するように露出されるドレインマウント部３６ｂを画定することができる。ドレイン線２８ｂのマウント部３６ｂは、接地接点パッド２２ｂにマウントすることができる。
【０００９】
[0008] 図１Ｂを参照して、例証されたケーブル１８は、米国線ゲージ(ＡＷＧ)３０を有することができる。ＡＷＧ３０のケーブル中の例証された信号導体２８ａは、約０.２５ｍｍの直径Ｄ１を有し、さらに、例証されたドレイン線２８ｂは、０.２ｍｍの直径を有する。図１Ｃを参照して、例証されたケーブル１８は、ＡＷＧ２６を有することができる。したがって、図１Ｃに示される、ＡＷＧ２６のケーブルの例証された信号導体２８ａは、０.４ｍｍの直径Ｄ２を有し、さらに例証されたドレイン線２８ｂは、０.２ｍｍの直径を有する。
【００１０】
[0009] 基板に高速信号ケーブルを接続する際に、ケーブルの絶縁層が除去され、それによって信号導体を露出することができる。これらの露出した信号導体は、クロストークのような電磁障害に帰着するかもしれない。そのような電磁障害を軽減することは望ましい。
【発明の概要】
【００１１】
[0010] 実施例にしたがって、電気ケーブル組立体は、電気ケーブルおよび基板を有することができる。電気ケーブルは、基板によって支持される接点パッドに電気的に接続するように構成することができる。電気ケーブルは、基板に面するように構成される第１表面を画定することができる少なくとも１本の電気伝導性の信号導体を有することができる。信号導体は、第１表面と対向する第２表面を画定することができる。直線に沿って第１表面から第２表面まで測定されるように、信号導体は、少なくとも０.２５ミリメートル（ｍｍ）および１.0ｍｍ未満の第１の高さを画定することができる。電気ケーブルは、さらに、少なくとも１本の信号導体に隣接して配置された少なくとも１本の電気伝導性のドレイン線を有する。  少なくとも１本のドレイン線の少なくとも一部分は、基板に面するように構成される第１表面、および第１表面と対向する第２表面を画定することができる。少なくとも１本のドレイン線は、直線に沿ってそれぞれの第１表面からそれぞれの第２表面まで測定されるように、０.２ｍｍ超で、かつ１.５ｍｍ未満である第２の高さを画定することができる。
【００１２】
[0011] 第２の実施例にしたがって、電気ケーブルは、基板によって支持される接点パッドに電気的に接続するように構成することができる。電気ケーブルは、電気絶縁体、および、第１および第２電気信号導体を有することができ、さらに、第１および第２電気信号導体のそれぞれの各部分は、絶縁体内に配置することができる。電気ケーブルは、さらに、第１および第２電気信号導体が、第１方向に沿って第１および第２ドレイン線間に配置されるように、絶縁体内に配置され、かつ、第１方向に沿って相互から離れて一定間隔で配置されたそれぞれの部分を有する第１および第２ドレイン線を有する。第１および第２ドレイン線は、第１方向にほぼ垂直である第２方向に沿って延び、さらに、第１および第２ドレイン線のそれぞれは、第１および第２の方向にほぼ垂直である第３の方向に沿って相互から一定間隔で配置される第１および第２の対向する表面を有する外部周囲を画定することができる。電気ケーブルは、さらに、第１および第２のドレイン線の少なくとも選択した一方の外部周囲に取付けられている外部周囲を画定する電気伝導性の補助線を有することができる。
【００１３】
[0012] 先行する概要は、この出願の実施例の以下の詳細な説明と同様に、付属の図面であって、そこには例証の目的のための図面実施例に示されるものとともに読まれたときに、一層よく理解されるであろう。しかしながら、この出願は、図示された正確な配置および手段に限定されないことは理解されるべきである。
【図面の簡単な説明】
【００１４】
【図１Ａ】[0013] 図１Ａは、従来の電気ケーブルを有する一例の電気組立体の斜視図である;
【図１Ｂ】[0014] 図１Ｂは、図１Ａにおいて例証された２本の従来のケーブルの断面正面図である;
【図１Ｃ】[001５] 図１Ｃは、図１Ａにおいて例証された他の２本の従来のケーブルの断面正面図である;
【図２】[0016] 図２は、実施例に従って基板上にマウントされる電気ケーブルのマウント部の断面正面図である;
【図３Ａ】[0017] 図３Ａは、他の実施例に従って基板上にマウントされる形作られたドレイン線を備えた電気ケーブルのマウント部の断面正面図である;
【図３Ｂ】[0018] 図３Ｂは、図３Ａにおいて例証されたドレイン線の１本の側面図である;
【図４】[0019] 図４は、さらに他の実施例に従って基板上にマウントされるドレイン線に積み重ねられた補助線を備えた電気ケーブルのマウント部の断面正面図である;
【図５】[0020] 図５は、さらに他の実施例に従って基板上にマウントされる補助線に積み重ねられたドレイン線を備えた電気ケーブルのマウント部の断面正面図である。
【発明の詳細な説明】
【００１５】
[0021] 出願人は、様々な構成におけるドレイン線のサイズおよび／または形を変更することが、高速信号ケーブルにおけるクロストークを減少するということを認識してきた。特に、出願人は、ドレイン線の高さを増加することがケーブル組立体におけるクロストークを減少することができ、およびまたは電気ケーブル組立体の密度を増加することができることを認識してきた。様々な構成が、好ましい実施例、およびまたは好ましい方法に関してここに記述される一方、ここに使用されてきた用語は、限定の用語であるよりはむしろ、記述および例証の用語であることは理解されるべきであり、即時の開示の範囲は、それらの詳細に限定されるようには意図されないが、むしろ、ここに記述されたケーブルのあらゆる構造、方法、およびまたは、使用にまで及ぶように意図される。この明細書の教示の利益を有する適切な技術に熟練している者は、ここに記述されるような電気ケーブルに対する多数の修正を達成することができ、さらに、変更は、例えば付属の請求項において引用されるように、即時の開示の範囲および精神から逸脱することなく、なすことができる。
【００１６】
[0022] 初めに、図２−４を参照して、様々な実施例に従って、電気ケーブル１００は、基板１０６によって支持される接点パッドに電気的に接続するように構成することができる。例えば、電気ケーブル組立体１０１におけるケーブル１０８は、ケーブル１００として構成することができる。電気ケーブル組立体１0１は、電気ケーブル１００およびプリント回路基板のような基板１０６を有することができ、その基板は、信号接点パッドの間に配置された複数の信号接点パッドおよび接地接点パッドを支持し、さらに、電気信号導体１０２のそれぞれは、それぞれの信号の接点パッドにマウントすることができ、かつ、ドレイン線１０４のそれぞれは、それぞれの接地接点パッドにマウントすることができる。電気ケーブル１００は、電気絶縁体と、この電気絶縁体内に配置された部分を有する少なくとも１本の電気信号導体と、絶縁体内に配置された部分を有する少なくとも１本のドレイン線とを有することができる。例証されるように、電気ケーブル１００は、第１、または、横方向Ａに沿って相互とは離れて一定間隔で配置される１対の電気伝導性の信号導体１０２を有する。電気信号導体１０２は、横方向Ａにほぼ垂直である第２、または長手方向Ｌにおいて延びることができる。電気ケーブル１００は、さらに、第１および第２ドレイン線のような電気伝導性のドレイン線１０４を有することができる。ドレイン線１０４は、相互から、および、対の電気信号導体１０２が、横方向Ａに沿う第１および第２ドレイン線の間に配置されるように横方向Ａに沿うその対の信号導体１０２から一定間隔で配置することができる。電気ケーブル１００が、２本のドレイン線の間の２本の信号導体を有するようにここに例証される一方で、電気ケーブル１００が、望まれるように構築することができることは、理解されるべきである。例えば、あと１本の信号導体および１本またはそれ以上の接地導体が、信号−信号−接地、接地−信号−信号、信号−接地−信号、信号−信号−接地−接地、接地−信号−信号−接地、または、信号−接地−信号−接地のような、例証された接地−信号−信号−接地順序と比較して一方向に沿う他の順序を形成するために、電気ケーブル１００内に配置することができる。
【００１７】
[0023] 電気ケーブル１００は、第１、または基板１０６に面するように構成される底部表面１１０、および、第２、または底部表面１１０と対向する頂部の表面１１２を画定する少なくとも１本の電気伝導性の信号導体１０２、例えば、例証された実施例に従う対の信号導体１０２を有することができる。信号導体１０２は、さらに、第１、または信号の高さＳＨを画定することができる。信号高さＳＨは、直線に沿って底部表面１１０から頂部表面１１２まで測定されるように、少なくとも０.２５ミリメートル（ｍｍ）および１.０ｍｍ未満、例えば、約０.２５ｍｍ、０.４ｍｍ、または、0.５ｍｍと等しいということができる。例えば、さらに、限定なしで、信号導体１０２は、米国線ゲージ（ＡＷＧ）３６、３２、３０、２６、または２２を有することができ、かつ、信号高さＳＨは、それぞれ、約0.１３ｍｍ、０.２ｍｍ、０.２５ｍｍ、０.４ｍｍ、０.６４ｍｍである。電気ケーブル１００は、さらに、少なくとも１本の電気伝導性のドレイン線１０４、例えば、例証された実施例に従って少なくとも１本の信号導体１０２に隣接して配置される１対のドレイン線１０４を有することができる。少なくとも１本のドレイン線１０４の少なくとも一部分は、基板１０６に面するように構成される第１、または底部表面１０９を画定することができる。少なくとも１本のドレイン線１０４の少なくとも一部分は、さらに、第２、または底部表面１０９と対向する頂部表面１０８を画定する。例証された実施例に従う第１および第２ドレイン線のような、少なくとも１本のドレイン線１０４は、直線に沿ってそれぞれの底部表面１０９からそれぞれの頂部表面１０８まで測定されるように、0.１２ｍｍ超、かつ１.５ｍｍ未満、例えば０.２ｍｍ超、かつ１.５ｍｍ未満である第２、またはドレイン高さＤＨを画定することができる。ドレイン線１０４は、さらに外部周囲１１４を画定することができる。したがって、外部周囲１１４は、それぞれに、底部および頂部表面１０９および１０８を有するということができる。
【００１８】
[0024] 電気ケーブル１００は、少なくとも１本のドレイン線１０４の長さの少なくとも一部分に沿う少なくとも１本のドレイン線１０４を囲む、例えば図１に示される外部層３４のような、第１電気絶縁体を有することができる。例えば、第１および第２ドレイン線１０４は、長さをそれぞれ画定することができ、さらにそれぞれの第１絶縁体によってそのそれぞれの長さの少なくとも一部分に沿ってそれぞれにほぼ取囲むことができる。電気ケーブル１００は、さらに、少なくとも１本の信号導体１０２の長さの少なくとも一部分に沿う少なくとも１本の信号導体１０２をほぼ取囲む、例えば図１に示される絶縁性信号層３０のような第２電気絶縁体を有することができる。例えば、第１および第２電気信号導体１０２は、長さをそれぞれに画定することができ、かつ、それぞれの第２絶縁体によってそのそれぞれの長さの少なくとも一部分に沿ってそれぞれほぼ取囲むことができる。少なくとも１本の信号導体１０２および少なくとも１本のドレイン線１０４は、横方向Ａに沿って相互に隣接することができ、かつ、ドレイン線１０４および信号導体１０２のそれぞれは、横方向Ａにほぼ垂直である縦方向Ｌに沿って、それぞれに、第１および第２絶縁体から延びるそれぞれのマウント部を画定することができる。例えば、図３Ｂに関して、ドレイン線１０４のマウント部１１６は、縦方向Ｌに沿って例えば図１に示される外部絶縁体３４のような、第１絶縁体から延びることができる。信号高さＳＨおよびドレイン高さＤＨは、それぞれに、横および長手方向ＡおよびＬにほぼ垂直である第３の、または横断方向Ｔに沿うそれぞれのマウント部で測定することができる。第１および第２絶縁体は、横方向Ａに沿って相互から一定間隔で配置することができる。第２絶縁体は、第２絶縁体が、信号層３０として構成され、かつ第１層が、例えば外部層３４として構成される場合のように、第１絶縁体内に配置することができる。代りに、第１絶縁体および第２絶縁体は、同一の絶縁体として構成することができ、かつ、したがってドレイン１０４および信号導体１０２の両方のそれぞれのマウント部は、同一絶縁体から延びることができる。
【００１９】
[0025] 例証された実施例に従って、信号高さＳＨおよびドレイン高さＤＨは、それぞれに、信号導体１０２およびドレイン線１０４のマウント部で画定される。例えば、図３Ｂは、ドレイン高さＤＨを画定するマウント部１１６を示す。ドレイン線１０４、例えば、両第１および第２ドレイン線１０４の少なくとも１本の一部分のドレイン高さＤＨは、0.１２ｍｍ超、かつ１.５ｍｍ未満、例えば、０.２ｍｍ超、かつ１.０ｍｍ未満、例えば、0.３ｍｍ、０.４ｍｍ、または0.５ｍｍであることができる。例えば、ケーブル１００がＡＷＧ３０を有する場合、ドレイン高さＤＨは、０.２ｍｍ超であることができる。例実施例においては、ケーブル１００は、ＡＷＧ２２を有することができ、かつ、ドレイン高さは、約１.３ｍｍである。さらに、ドレイン高さＤＨは、信号高さＳＨの、４０パーセント以上、例えば５０パーセント以上、または８０パーセント以上である。例えば、ドレイン高さＤＨは、信号高さＳＨのほぼ等しくなることができる。ドレイン線１０４のドレイン高さＤＨが、信号高さＳＨより大きく、例えば信号高さＳＨの２または３倍であることができることは認識されるべきである。したがって、少なくとも１本の信号導体１０２の信号高さＳＨが、ドレイン線１０４の少なくとも１本のドレイン高さＤＨ未満であることができるということができる。
【００２０】
[0026] 例えば、電気ケーブル１００は、およそ米国線ゲージ（ＡＷＧ）２４を有することができ、かつ、ドレイン線１０４の少なくとも１本の少なくとも一部分は、信号高さＳＨの４０パーセント超、かつ３００パーセント未満であるドレイン高さＤＨを画定することができ、それは約0.５ｍｍに等しくなることができる。他の例として、および限定なしで、電気ケーブル１００は、約ＡＷＧ２６を有することができ、かつ、ドレイン線１０４の少なくも１本の少なくとも一部分は、信号高さＳＨの５０パーセント以上および３００パーセント未満であるドレイン高さＤＨを画定することができ、それは約０.４ｍｍと等しいということができる。さらに他の例として、および限定なしで、電気ケーブル１００は、約ＡＷＧ３０を有することができ、かつ、ドレイン線１０４の少なくとも１本の少なくとも一部分は、信号高さＳＨの８０パーセント超、かつ６００パーセント未満であるドレイン高さＤＨを画定することができ、それは約０.２５ｍｍと等しいということができる。
【００２１】
[0027] 図３Ｂを参照して、ドレイン線１０４は、ドレイン線１０４を露出するように長手方向Ｌに沿って絶縁層から外に延びるドレイン１０４の一部分によって画定することができるそれぞれのマウント部１１６を有することができる。マウント部１１６は、したがって基板１０６のそれぞれの電気接点にマウントすることができる。ドレイン１０４は、それらが電気ケーブル１００の絶縁層によって取囲まれない場合、露出することができる。マウント部１１６、および、したがってドレイン線１０４は、長手方向Ｌに沿ってマウント部１１６を差し渡たすことができるマウント長さＭＬを画定することができる。図１を参照して、マウント長さＭＬは、長手方向Ｌに沿って接地ジャケット３２から近接端部２４まで外に延びることができる。代りに、ケーブル１００が、例えば、接地ジャケットなしで構成される場合、マウント長さＭＬは、絶縁層３４から長手方向Ｌに沿って近接端部２４まで延びることができる。マウント部１１６の少なくとも一部分、例えば全ては、ドレイン高さＤＨを画定することができる。一実施例において、ドレイン高さＤＨが増加され、それによって、クロストークを減少するとともに、横方向Ａに沿う２本の信号導体対１０２間の距離は、変化しない。他の実施例において、ドレイン高さＤＨが、電気ケーブル１００の密度を増加する（例えば、信号対間の距離を減少する）ように、増加されるとともに、２本の信号導体対の間の距離は、減少することができる。
【００２２】
[0028] ドレイン線１０４は、それぞれのマウント部１１６と対向するそれぞれの遠位端部を有することができる。例えば、図１を参照して、遠位端部は、近接端部２４と対向することができる。ドレイン線１０４は、さらに、遠位端部とマウント部１１６との間に延びる中間の線セグメント１１５を有することができる。実施例に従って、中間の線セグメント１１５の少なくとも一部分、例えば全ては、ドレイン高さＤＨを画定することができる。代りに、図３Ｂを参照して、中間の線セグメント１１５は、マウント部１１６のドレイン高さＤＨ未満である高さを画定することができる。
【００２３】
[0029] 図２を参照して、ドレイン線１０４の少なくとも１本のマウント部１１６、例えば第１および第２ドレイン線１０４の両方は、横方向Ａに沿う幅W１を画定することができる。図２に示される例証された実施例に従って、幅W１は、ドレイン高さＤＨとほぼ等しくなることができる。さらに、図２の例証された実施例に従って、少なくとも一方のドレイン線１０４、例えば、ドレイン線１０４の両方のマウント部は、ドレイン高さＤＨが、筒状体の直径を画定するような長手方向Ｌにおいて延びる筒状体を画定することができる。ドレイン高さＤＨが、幅W１とほぼ等しい場合に、ドレイン線１０４のマウント部が筒状体を画定することに限定されないことは、認識されよう。図２の例証された実施例において示されるように、幅W１は、ドレイン線１０４のマウント部の少なくとも一部分が、それぞれに、横方向および横断方向ＡおよびＴによって画定される平面におけるほぼ円形の横断面を画定することができるような、ドレイン高さＤＨとほぼ等しくなることができる。ドレイン線１０４の中間の線セグメント１１５は、長手方向Ｌにおいて延びることができ、かつ、横断および横方向に沿うドレイン線１０４のマウント部の横断面が、それぞれに、横方向および横断方向AおよびＴに沿うドレイン線１０４の中間の線セグメント１１５の横断面とほぼ同一のサイズであるようなドレイン線１０４のマウント部の直径とほぼ等しい第２の直径を画定することができる第２の筒状体を画定することができる。代りに、中間の線セグメント１１５は、縦方向Ｌ内において延び、かつ、横および長手方向に沿うドレイン線１０４のマウント部の横断面が、それぞれに、横および横断方向ＡおよびＴに沿うドレイン線１０４の中間の線セグメントの横断面より大きいような、ドレイン線１０４のマウント部の直径未満である、第２の直径を画定する第２の筒状体を画定することができる。
【００２４】
[0030] 図３Ａ−Ｂを参照して、少なくとも１本のドレイン線１０４のマウント部１１６は、横方向Ａに沿う幅W２を画定することができる。幅W２は、マウント部１１６が、それぞれに、横方向および横断方向ＡおよびＴによって画定される平面おけるほぼ楕円の横断面を画定するような、ドレイン高さＤＨ未満であることができる。したがって、ドレイン高さＤＨは、ほぼ楕円の横断面の長軸を画定することができ、かつ、幅W２は、ほぼ楕円の横断面の短軸を画定することができる。図３Ａ−Ｂにおいて例証されたドレイン線１０４は、圧縮技術によって成形することができ、かつ、したがって、それらは、圧縮した、または成形されたドレイン線と呼ぶことができる。[0031] 実施例に従って、ドレイン線１０４のマウント部１１６の全て未満は、ドレイン高さＤＨを画定する。マウント部１１６の少なくとも一部分、例えば、全てが、ドレイン高さＤＨを画定することができることは、認識されよう。さらに、ドレイン線１０４は、ドレイン線１０４の中間の線セグメント１１５の長さの、少なくとも一部分、例えば全てに沿うドレイン高さＤＨを画定することができる。したがって、中間の線セグメント１１５の少なくとも一部分は、ドレイン高さＤＨを画定することができる。幅W２が、ドレイン高さＤＨ未満である場合に、ドレイン線１０４のマウント部は、楕円の横断面を画定することに限定されないことは認識されよう。
【００２５】
[0032] 図３Ａ−Ｂを再度参照すると、基板１０６に電気的に接続するように構成される電気ケーブル１００を製造する方法は、電気ケーブル１００が、基板１０６に電気的に接続される場合に、基板１０６に面するように構成されるドレイン線１０４の第１、または底部表面１０９を画定することを有することができる。第２の、または頂部表面１０８は、直線に沿って底部表面１０９から頂部表面１０８まで測定される高さを画定するように底部表面１０９に対向して画定することができる。ドレイン線１０４の少なくとも一部分は、ドレイン線の測定された高さが、少なくとも0.１２ミリメートル（ｍｍ）を超えるまで、圧縮することができる。例えば、ドレイン線は、ドレイン線のマウント部の一部が、０.２ｍｍを超過するまで圧縮することができる。ドレイン線１０４は、いかなる所望の高さ、例えば１.５ｍｍに至るまで、圧縮することができ、かつ、ドレイン線の高さは、様々な圧縮技術を使用して増加することができることは、評価されよう。
【００２６】
[0033] 図４において例証された実施例を参照して、基板１０６に電気的に接続するように構成される電気ケーブル１００は、電気絶縁体と、第１および第２信号導体１０２と、第１および第２ドレイン線１０４とを有することができる。各信号導体１０２および各ドレイン線１０４のそれぞれの一部分は、絶縁体内に配置することができる。ドレイン線１０４は、第１および第２電気信号導体１０２が、横方向Ａに沿う第１および第２ドレイン線１０４間に配置されるような、第１、または横方向Ａに沿って離れて間隔を置くことができる。それぞれの第１および第２ドレイン線１０４は、第２、または長手方向Ｌに沿って延びることができ、かつ、それぞれの第１および第２ドレイン線１０４は、横方向および長手方向ＡおよびＬにほぼ垂直である第３、または横断方向Ｔに沿って相互から一定間隔で置かれる、それぞれに第１、および第２の対向する表面１０９および１０８を有する外部周囲１１４を画定することができる。電気ケーブル１００は、さらに、第１および第２の少なくとも選択した１本の外部周囲１１４に取付けられる外部周囲１２０を画定する電気伝導性の補助線１１８を有することができる。少なくとも第１および第２ドレイン線１０４の選択した１本が、長手方向Ｌに沿う絶縁体から外に延びるマウント部を画定することができ、かつ、補助線１１８は、第１および第２ドレイン線１０４の少なくとも１本のマウント部の外部周囲１１4に取付けることができる。したがって、マウント部は、第１、または、基板１０６に面するように構成することができる底部表面１０９を画定することができる。マウント部は、さらに第２、または底部表面１０９に対向する第２、または頂部表面１０８を画定することができる。
【００２７】
[0034] 例証された実施例に従って、補助線１１８は、第１および第２ドレイン線１０４の少なくとも選択した１本の頂部表面１０８に取付けることができる。さらに、補助線１１８は、第１および第２ドレイン線１０４の選択した１本の頂部表面１０８に取付けることができる第１、または底部表面１２１を画定することができる。補助線１１８は、さらに、低部表面１２１と対向する第２、または上部表面１２２を画定することができる。低部表面１２１は、上部表面１２２から補助距離ＡＤの間隔を置くことができる。ドレイン線１０４のマウント部の頂部表面および底部表面１０８および１０９は、それぞれに、ドレイン距離ＤＤ離れて間隔を置くことができる。例証された実施例に従って、ドレイン距離ＤＤは、補助距離ＡＤとほぼ等しくなることができる。ドレイン距離ＤＤおよび補助距離ＡＤは、望まれるように、変化することができ、例えば、補助距離ＡＤは、ドレイン距離ＤＤより大きいか、または、ドレイン距離ＤＤ未満であることは認識されよう。補助線が、溶接するか、はんだ付けするか、導電接着を供給するか、導電材料にポッティングするか、またはそれらの組合せのように、任意の適切な取付構造を使用して、ドレイン線に電気的に取付けることができることはさらに認識されよう。
【００２８】
[0035] なお図４を参照して、第１および第２電気信号導体１０２のそれぞれは、絶縁体から延びて、基板１０６に面するように構成される第１信号端１２４、および、この第１信号端１２４と対向する第２信号端１２６を画定するマウント部を画定することができる。第１および第２信号導体１０２のそれぞれは、第１信号端１２４から第２信号端１２６まで延びる信号高さＳＨを画定することができる。第１および第２ドレイン線１０４および補助線１１８の選択した１本は、第１および第２ドレイン線１０４の選択した１本の底部表面１０９から、補助線１１８の頂部表面１２２まで延びる第２高さＨ２を画定することができる。第２高さＨ２は、例証された実施例に従って、信号高さＳＨと少なくとも等しくなることができる。第２高さＨ２および信号高さＳＨが、望まれるように変化することができることは、認識されよう。
【００２９】
[0036] 図４の例証された実施例に従って、電気ケーブル１００が、望まれるような任意の数の補助線で構築することができることは理解されようが、電気ケーブル１００は、第１および第２ドレイン線の選択した１本の他方の外部周囲１１４に取付けられる第２補助線１１８を有する。
【００３０】
さらに、補助線１１８は、望まれるように相互に取付けることができることは認識されよう。[0037] 第２高さＨ２は、例えば、２.０ｍｍ以上および１.０ｍｍ未満、例えば0.１２ミリメートル（ｍｍ）を超え、かつ１.５ｍｍ未満、例えば、0.５ｍｍ、または０.６ｍｍである。例証された実施例が、各ドレイン線１０４の上の１本のみの補助線１１８を示す一方で、１本またはそれ以上の補助線１１８、例えば、２、３、４、または５本が、任意の望まれる配置における横断方向Ｔに沿ってスタックされることができることは認識されよう。さらに、補助線１１８が、望まれるようにドレイン線１０４の他の表面に取付けることができることは認識されよう。補助線１１８は、ドレイン線１０４のマウント部の長さの、少なくとも一部分、例えば、全てである長さを画定することができる。例えば、補助線１１８は、ドレイン線１０４の少なくとも一部分、例えば全てに沿って乗る（ride）ことができる。したがって、マウント部の少なくとも一部分、例えば全ては、ドレイン線１０４に少なくとも１本の補助線１１８を支持することができる。１つの実施例においては、第２高さＨ２が増加し、それによって、クロストークを減少するとともに、横方向Ａに沿う２本の信号導体対１０２の間の距離は、変化しない。他の実施例においては、第２の高さＨ２が、電気ケーブル１００の密度を増加する（例えば、信号対の間の距離を減少する)ように増加するとともに、２本の信号導体対の間の距離は、減少することができる。
【００３１】
[0038] 図５における例証された実施例を参照して、基板１０６に電気的に接続するように構成される電気ケーブル１００は、電気絶縁体と、少なくとも１本、例えば２本の信号導体１０２と、および少なくとも１本、例えば２本のドレイン線１０４とを有することができる。少なくとも１本の信号導体１０２、および少なくとも１本のドレイン線１０４は、それぞれ、絶縁体内に配置される部分を有する。ドレイン線１０４は、第１の、または横方向Ａに沿う信号導体１０２から一定間隔で配置することができる。少なくとも１本のドレイン線１０４は、横方向Ａにほぼ垂直である第２、または長手方向Ｌに沿う絶縁体から外に延びるマウント部を画定することができる。マウント部は、それぞれに、横方向および長手方向ＡおよびＬにほぼ垂直である第３の、または長手方向Ｔに沿って相互から一定間隔で配置されるそれぞれに第１および第２の対向する表面１０９および１０８を有する外部周囲１１４をそれぞれ画定することができる。電気ケーブル１００は、さらにドレイン線１０４の底部表面１０９に取付けられる第１の、または上部の補助表面１２２を画定する外部周囲１２０を有する電気伝導性の補助線１１８を有することができる。外部周囲１２０は、さらに、横断方向Ｔに沿って上部の補助表面１２２と対向する第２、または低部の補助表面１２１を画定することができる。ドレイン線１０４の底部表面１０９は、補助線１１８の上部表面１２２に取付けるように構成することができる。実施例においては、電気ケーブル１００は、補助線１１８の上部表面１２２に取付けられる１本のドレイン線１０４、および第２補助線１１８の低部表面１２１に取付けられる１本のドレイン線を有することができる。
【００３２】
[0039] 図４を再度参照して、基板１０６に電気的に接続するように構成され、かつ、少なくとも１本のドレイン線１０４および少なくとも１本の信号導体１０２を有する電気ケーブル１００を製造する方法は、基板１０６に面するように構成されるドレイン線１０４の第１表面を画定することを有する。第１表面と対向するドレイン線の第２表面は、画定することができる。少なくとも１本の電気伝導性の補助線は、ドレイン線の第１表面から直線に沿って補助線の表面まで測定される高さを画定するように、ドレイン線の第２表面に取付けることができる。その高さは、0.１２ｍｍ以上および１.５ｍｍ未満、例えば０.２ｍｍ以上および１.５ｍｍ未満である。補助線の表面は、補助線がドレイン線に取付けられる場合、ドレイン線の第１表面に対向することができる。補助線は、はんだ付けによる、または望まれるような様々な他の接着材の使用によるように、ドレイン線に接着することができる。
【００３３】
[0040] クロストークを減少するための方法が、上述したような電気ケーブルを製造することを有することができることは認識されよう。さらに、電気ケーブルの密度を増加する方法が、ここに記述されるようなドレイン線、およびまたは補助線を画定することを有することができることは認識されよう。例えば、ドレイン線および信号導体は、それらが従来のケーブル内にあるクロストークよりも、これ以上のクロストーク、例えばより少ないクロストークを達成する間に従来のケーブル内で相互から一定間隔で配置されるよりここに記述された電気ケーブル内で、ともにより接近して間隔を置くことができる。
【００３４】
[0041] 電気ケーブル組立体は、好ましい実施例、およびまたは、好ましい方法に関してここに記述されてきたが、ここに使用された用語は、限定の用語よりはむしろ、記述と例証の用語であることは理解されるに違いなく、さらには、即座（instant）の開示の範囲は、むしろ、それらの詳細に限定されるようには意図されず、むしろ、ここに記述されたケーブル保持ハウジングの全ての構造、方法、およびまたは、使用に及ぶことを意図している。この明細書の教示の利益を有する適切な技術に熟練している者は、ここに記述されるような電気ケーブル組立体に対して多数の修正を実行することができ、さらには、例えば、付属の請求項に詳述されるように、その変更は、即時の開示の範囲および精神から逸脱することなしに、なすことができる。
【００３５】
[0042] 例えば、例えば電気ケーブル組立体において信号導体間のクロストークを減少するために、１本またはそれ以上のドレイン線を使用するための手段が、上述したようにドレイン線の高さを増加することを有することができることは認識されるべきである。同様に、電気ケーブルの密度を増加するための手段が、上述したようにドレイン線の高さを増加することができることは認識されるべきである。電気ケーブル、および、したがって電気ケーブル組立体は、ドレイン線の高さを増加するための手段を有することができる。例えば、電気ケーブルは、絶縁体内の第１電気信号導体および第２電気信号導体のそれぞれの部分を配置するための手段と;  絶縁体内の第１および第２のドレイン線のそれぞれの部分を配置するための手段と;  第１および第２の電気信号導体が、第１の方向に沿って第１および第２のドレイン線の間に配置されるように、第１および第２のドレイン線を第１の方向に沿って相互から離れて一定間隔に置くための手段と、を有することができる。第１および第２のドレイン線は、第１の方向にほぼ垂直である第２の方向に沿って延び、さらに第１および第２のドレイン線のそれぞれは、第１および第１の方向に沿って相互から一定間隔で配置される第２の対向する表面を有する外部周囲を画定することができる。電気ケーブル、および、したがって電気ケーブル組立体は、第１および第２の少なくとも選択した１本に補助線を電気的に取付けるための手段を有することができる。例えば、補助線は、第１および第２ドレイン線の少なくとも選択した１本の外部周囲に取付けることができる外部周囲を画定することができる。実施例において、電気ケーブル、および、したがって電気ケーブル組立体は、第１ドレイン線の頂部に１本の補助線、および、第２補助線の頂部に第２の補助線を電気的に取付けるための手段を有することができる。さらに他の実施例において、電気ケーブル、およびしたがって電気ケーブル組立体は、基板に取付けられる第１ドレイン線の頂部に１本の補助線を電気的に取付けるための手段と、基板に付けられる第２補助線の頂部に第２ドレイン線を電気的に取付けるための手段とを有することができる。
【００３６】
[0043] 少なくとも１本の電気伝導性の信号導体は、基板に面するように第１表面を、かつ、第１表面と対向する一定間隔で配置されるように第２表面を構成する手段を有することができる。信号導体は、直線に沿って第１表面から第２表面まで測定されるように、少なくとも０.２ｍｍの第１の高さ、例えば少なくとも０.２５ミリメートル（ｍｍ）および１.０ｍｍ未満の高さを画定することができる。少なくとも１本の電気伝導性のドレイン線は、基板に面するように第１表面を、および、この第１表面に対向して一定間隔で配置されるように第２表面を構成する手段を有することができる。ドレイン線は、直線に沿ってそれぞれの第１の表面およびそれぞれの第２の表面から測定されるように、少なくとも0.１２ｍｍ、例えば少なくとも０.２ｍｍおよび１.５ｍｍ未満の第２の高さを画定することができる。
【００３７】
[0044] さらに、電気ケーブルを製造するための手段が、ここに記述される。
【００３８】
電気ケーブル、およびしたがって電気ケーブル組立体は、電気ケーブルのドレイン線の第１表面、および第１表面に対向するドレイン線の第２表面を画定するための手段を有することができる。電気ケーブルは、基板に面するように第１表面を構成するための手段を有することができる。電気ケーブルは、さらに、直線に沿って第１表面から補助線の表面まで測定される高さを画定するために、電気伝導性の補助線をドレイン線の第２表面に取付けるための手段を有することができ、その高さは、0.１２ｍｍより大きく、例えば、０.２ミリメートルより大きく、かつ１.５ｍｍ未満である。
【００３９】
[0045] 電気ケーブルを製造するための他の手段が、ここに記述される。電気ケーブル、およびしたがって電気ケーブル組立体は、第１の表面、直線に沿って第１の表面から第２の表面まで測定される高さを画定するために、少なくとも１本のドレイン線の第１表面、および対向するドレイン線の第２表面を画定するための手段を有することができる。  電気ケーブルは、その基板に面するように第１表面を構成するための手段を有することができる。電気ケーブルは、さらに、その高さが少なくとも0.１２ミリメートル（ｍｍ）を超える長さ、例えば０.２ｍｍ以上を超え、かつ、１.５ｍｍ未満まで、ドレイン線の少なくとも一部分を圧縮するための手段を有することができる。
【図１Ａ】
2016503948.tif 000003
【図１Ｂ】
2016503948.tif 000004
【図１Ｃ】
2016503948.tif 000005
【図２】
2016503948.tif 000006
【図３Ａ】
2016503948.tif 000007
【図３Ｂ】
2016503948.tif 000008
【図４】
2016503948.tif 000009
【図５】
2016503948.tif 000010
【国際調査報告】
2016503948.tif 000011
2016503948.tif 000012